(57)【要約】【課題】寸法誤差が大きい軒樋を接続しても、雨水等が漏れにくい軒手継手を提供する。【解決手段】雨水等が流れる流路３１を備える軒樋３同士を接続する軒樋継手１において、軟質材で形成されている継手本体１０と、継手本体１０に外嵌するカバー部材２０とを備え、継手本体１０は、軒樋３の長手方向の端部３２が挿入される挿入凹部１１が設けられ、挿入凹部１１は、挿入された軒樋３の端部３２における内面３１を密着するように覆う流路側内壁面１１ａと、挿入された軒樋３の端部３２における外面３３を覆う外側内壁面１１ｂとを有する。【選択図】図１
2020056199.tif 000002
【特許請求の範囲】
【請求項１】
雨水等が流れる流路を備える軒樋同士を接続する軒樋継手において、
軟質材で形成されている継手本体と、該継手本体に外嵌するカバー部材とを備え、
前記継手本体は、前記軒樋の長手方向の端部が挿入される挿入凹部が設けられ、
該挿入凹部は、挿入された前記軒樋の前記端部における内面を密着するように覆う流路側内壁面と、挿入された前記軒樋の前記端部における外面を覆う外側内壁面とを有することを特徴とする軒樋継手。
【請求項２】
請求項１において、
前記外側内壁面は、内方へ突出する突部が形成されていることを特徴とする軒樋継手。
【請求項３】
請求項１又は２において、
前記カバー部材は、内面に内方へ突出する突出部が形成されていることを特徴とする軒樋継手。
【請求項４】
請求項１乃至３において、
前記カバー部材の外面と前記軒樋の外面は同じ色とされることを特徴とする軒樋継手。
【請求項５】
請求項１乃至４において、
前記カバー部材の外面と前記軒樋の外面には、相互に連続する模様が施されていることを特徴とする軒樋継手。
【請求項６】
請求項１乃至５において
前記挿入凹部は、前記流路側内壁面と前記外側内壁面との間に介在する仕切り部が形成されていることを特徴とする軒樋継手。
【発明の詳細な説明】
【技術分野】
【０００１】
本発明は、雨水等が流れる流路を備える軒樋同士を接続する軒樋継手に関する。
【背景技術】
【０００２】
従来より、軒樋同士を接続する軒樋継手が知られている（たとえば、特許文献１）。このような軒樋継手は、軒樋継手の外面が軒樋の内面に沿った形状に形成され、軒樋継手の外面と軒樋との内面との間に接着剤が塗布されることにより、水密性が高まり、雨水等が軒樋継手と軒樋との境目から漏れないようにしている。
【先行技術文献】
【特許文献】
【０００３】
【特許文献１】特許第４４５２３９４号公報
【発明の概要】
【発明が解決しようとする課題】
【０００４】
このような軒樋継手が使用される場合、水密性の低下を防ぐために、接続される軒樋は、押出成形等によって寸法誤差を小さくし、高い精度で形成される必要がある。しかしながら、ステンレス材等の折曲形成された軒樋は、予期しない大きな寸法誤差が起きてしまうことが多々ある。そのため、寸法誤差の大きい軒樋を、特許文献１のような軒樋継手を用いて接続すると、軒樋の内面と軒樋継手の外面との間に隙間ができ、雨水等が漏れる接続不良が発生してしまう。
【０００５】
本発明は、上記の事情を鑑みて提案されたものであり、その目的は、寸法誤差が大きい軒樋を接続しても、雨水等が漏れにくい軒手継手を提供する。
【課題を解決するための手段】
【０００６】
上記目的を達成するために、請求項１に記載の軒樋継手は、雨水等が流れる流路を備える軒樋同士を接続する軒樋継手において、軟質材で形成されている継手本体と、該継手本体に外嵌するカバー部材とを備え、前記継手本体は、前記軒樋の長手方向の端部が挿入される挿入凹部が設けられ、該挿入凹部は、挿入された前記軒樋の前記端部における内面を密着するように覆う流路側内壁面と、挿入された前記軒樋の前記端部における外面を覆う外側内壁面とを有することを特徴とする。
【０００７】
請求項２に記載の軒樋継手は、前記外側内壁面が、内方へ突出する突部が形成されていることを特徴とする。
【０００８】
請求項３に記載の軒樋継手は、前記カバー部材が、内面に内方へ突出する突出部が形成されていることを特徴とする。
【０００９】
請求項４に記載の軒樋継手は、前記カバー部材の外面と前記軒樋の外面は同じ色とされることを特徴とする。
【００１０】
請求項５に記載の軒樋継手は、前記カバー部材の外面と前記軒樋の外面には、相互に連続する模様が施されていることを特徴とする。
【００１１】
請求項６に記載の軒樋継手は、前記挿入凹部が、前記流路側内壁面と前記外側内壁面との間に介在する仕切り部が形成されていることを特徴とする。
【発明の効果】
【００１２】
請求項１に記載の軒樋継手は、上述した構成とされているため、寸法誤差の大きい軒樋であっても、軟質材で形成された継手本体が、軒樋の端部の内面の寸法のずれを吸収して流路側内壁面が密着するので、水密性を保つ。
【００１３】
請求項２に記載の軒樋継手は、上述した構成とされるため、突部が抜け止めの効果を発揮し、さらに軒樋継手の流路側内壁面と軒樋の外面との密着性を高める。
【００１４】
請求項３に記載の軒樋継手は、上述した構成とされるため、突出部が軒樋継手を外側から押さえるため、滑り止めの効果を発揮し、さらに軒樋継手の流路側内壁面と軒樋の外面との密着性を高める。
【００１５】
請求項４に記載の軒樋継手は、上述した構成とされるため、カバー部材が目立ちにくくなる。
【００１６】
請求項５に記載の軒樋継手は、上述した構成とされるため、カバー部材が目立ちにくくなる。
【００１７】
請求項６に記載の軒樋継手は、上述した構成とされるため、仕切り部が軒樋を挿入凹部に挿入させる際のストッパーとなり、作業効率が向上する。
【図面の簡単な説明】
【００１８】
【図１】（ａ）は、本実施形態の軒樋継手を用いて軒樋同士を接続させる前の状態を示す斜視図、（ｂ）は接続状態を示す斜視図である。
【図２】（ａ）は、カバー部材を取り付ける例を示した模式説明図、（ｂ）は、カバー部材を取り付ける他の例を示した模式説明図、（ｃ）は、カバー部材が取り付けられる前の状態を示す模式断面図、（ｄ）は、カバー部材が取り付けられた状態を示す模式断面図、（ｅ）は、他の実施形態におけるカバー部材が取り付けられた状態を示す模式断面図である。
【図３】（ａ）は、他の実施形態におけるカバー部材が取り付けられる前の状態を示す正面図、（ｂ）は他の実施形態におけるカバー部材が取り付けられた状態の状態を示す正面図である。
【発明を実施するための形態】
【００１９】
以下に、本発明の実施の形態に係る軒樋継手について、図面を参照して説明する。なお、一部の図では、他図に付している詳細な符号の一部を省略している。まず、基本構成について説明する。
【００２０】
軒樋継手１は、雨水等が流れる流路（内面）３１を備える軒樋３同士を接続する軒樋継手１において、軟質材で形成されている継手本体１０と、継手本体１０に外嵌するカバー部材２０とを備え、継手本体１０は、軒樋３の長手方向の端部３２が挿入される挿入凹部１１が設けられ、挿入凹部１１は、挿入凹部１１内に挿入された軒樋３の端部３２における内面３１を密着するように覆う流路側内壁面１１ａと、挿入された軒樋３の端部３２における外面３３を覆う外側内壁面１１ｂとを有する。
【００２１】
次に、図１の軒樋継手１について、詳述する。
【００２２】
軒樋３は長尺状に形成されており、本実施形態では前耳部３ａ、後耳部３ｂを有した形状に形成されている。軒樋３はステンレス材で形成され、１枚の板材を折曲加工して形成されている。そのため、わずかではあるが、軒樋３は予期せぬ寸法上の誤差が生じている。なお、軒樋３の形状は、図示しているものに限定されることは無く、また、前耳部３ａ、後耳部３ｂが形成されていなくてもよい。
【００２３】
継手本体１０は、軟質材であるシリコーン樹脂で軒樋３と類似した形状に形成されている。継手本体１０は、雨水等が流れる流路１０ａを有し、軒樋３を挿入するための挿入凹部１１が形成されている。挿入凹部１１は、流路側内壁面１１ａが、軒樋３の流路（内面）３１に密着するように、軒樋３の流路３１の形状に略沿った形状に形成されている。また、外側内壁面１１ｂが、軒樋３の端部３２が挿入凹部１１に挿入された状態で、軒樋３の外面３３に近接又は当接するように覆うような形状となっている。そして、流路側内壁面１１ａと外側内壁面１１ｂとの間に介在し、両者に接続されている仕切り部１１ｃが継手本体１０と同じ材質で形成されている。仕切り部１１ｃが流路側内壁面１１ａと外側内壁面１１ｂに接続されているため、継手本体１０の形が崩れにくくなっている。なお、継手本体１０を形成する材料はシリコーン樹脂に限定されることは無く、その他の合成樹脂やゴム材等、軟質材であればよい。また、仕切り部１１ｃは、流路側内壁面１１ａと外側内壁面１１ｂのどちらか片方のみに接続されている構成であってもよい。そして、仕切り部１１ｃは、挿入凹部１１の長手方向の中央以外の設けられてもよく、仕切り部１１ｃは、挿入凹部１１の幅方向の断面形状と略同じ形状に図示されているが、これに限定されることはない。
【００２４】
カバー部材２０は、軒樋３と同じ材質で形成されていることが望ましく、本実施形態ではステンレス材の薄板で形成されている。カバー部材２０の内面２１は、継手本体１０の外面１３に沿った形状に形成され、内面２１には、内面２１から内方へ突出し、内面２１の幅方向（長手方向に直交する方向）に沿って延びる形状の突出部２１ａが形成されている。そして前耳掛部２２ａには、折曲自在の爪部２４が複数形成されている。
【００２５】
次に軒樋継手１を用いて、軒樋３，３を接続する手順について説明する。なお、図面において左側の軒樋３を３Ａとし、他方の軒樋３を３Ｂとして説明する。
【００２６】
継手本体１０の挿入凹部１１に軒樋３Ａの長手方向の端部３２を挿入させる。この際、軒樋３Ａの端部３２が挿入凹部１１内の仕切り部１１ｃに接触するまで挿入させる。同様にして、他方の軒樋３Ｂの長手方向の端部３２を、挿入凹部１１内の仕切り部１１ｃに接触するまで挿入させる。仕切り部１１ｃが継手本体１０の長手方向の中央に設けられているので、軒樋３Ａ，３Ｂの端部３２が仕切り部１１ｃに接触するまで挿入させるだけで、軒樋３Ａ，３Ｂがバランスよく挿入され、組み立て時の作業効率が向上する。
【００２７】
上記のようにして軒樋３Ａ，３Ｂの端部３２，３２を継手本体１０の挿入凹部１１に挿入した後、カバー部材２０を継手本体１０に外嵌させる。図２（ａ）に示すように、軒樋３の後耳部３ｂを覆う部位である継手本体１０の後耳覆部１２ｂに、カバー部材２０の後耳掛部２２ｂを引っ掛け、それを支点にしてカバー部材２０を回転させて前耳掛部２２ａが、軒樋３の前耳部３ａを覆う部位である継手本体１０の前耳覆部１２ａを覆うようにして外嵌させる。そして、前耳掛部２２ａの先端に設けられた爪部２４を前耳覆部１２ａの内面１２ａａの形状に合わせて折り曲げる。これにより、図１（ｂ）の状態になり、軒樋継手１による軒樋３Ａ，３Ｂの接続は完了する。このとき、図２（ｃ）の状態から、カバー部材２０の内面２１に形成された突出部２１ａが継手本体１０の外面１３を押圧するので、図２（ｄ）に示すように、挿入凹部１１の外側内壁面１１ｂに突出部Ａが形成される。これにより、軒樋３Ａ，３Ｂの外面３３を突出部Ａが外方から押圧し、抜け止めの効果を発揮するので、軒樋３Ａ，３Ｂが長手方向にずれにくくなり、継手本体１０の流路側内壁面１１ａと軒樋３Ａ，３Ｂの外面３３との密着性を高める。
【００２８】
本実施形態の軒樋継手１は、継手本体１０が軟質材であるシリコーン樹脂によって形成されている。そのため、例えば、軒樋３Ａは許容寸法内に形成され、軒樋３Ｂが許容寸法を越える寸法誤差で形成されていても、軟質材である継手本体１０が弾性変形することでその誤差を吸収して、軒樋３Ａ，３Ｂを接続することができる。そのため、軒樋３Ａ，３Ｂの許容寸法が大きくすることができる。また、接着剤等を用いなくても、継手本体１０、カバー部材２０を固定することができる。
【００２９】
なお、カバー部材２０を継手本体１０に外嵌させる方法は上記に限定されず、例えばカバー部材２０が弾性変形する材質であれば、図２（ｂ）に示すような方法でもよい。カバー部材２０を幅方向（長手方向と直交する方向）に押し広げ、それにより拡げられた空間２００に継手本体１０を装着した軒樋３が配された後、カバー部材２０を押し広げる外力を抜いて初期状態に復帰させることで、カバー部材２０が継手本体１０を挟持し、継手本体１０にカバー部材２０が外嵌される。この場合、カバー部材２０の突出部２１ａのカバー部材２０の底面に設けられている部分は、図２（ｂ）に示すように、間隔を空けて長手方向に延びる切り込み２１ｂが幅方向に連続して形成されるのが望ましい。これにより、カバー部材２０の底面を曲げやすくなる。
【００３０】
図２（ｃ）の実施形態では、カバー部材２０の内面２１に突出部２１ａが形成されておらず、挿入凹部１１の外側内壁面１１ｂに、内方へ突出する突部１１ｂａが適宜間隔を空けて複数形成されている。カバー部材２０により継手本体１０が外方から押圧されることにより、突部１１ｂａが軒樋３Ａ，３Ｂの外面３３を押圧する抜け止めの効果を発揮するので、軒樋３Ａ，３Ｂが長手方向にずれにくくなり、継手本体１０の流路側内壁面１１ａと軒樋３Ａ，３Ｂの外面３３との密着性を高める。
【００３１】
図３の実施形態について説明する。図３の軒樋３Ａ，３Ｂの外面３３，３３には、模様３３ａ，３３ａが形成されている。模様３３ａは、長手方向に延びる帯状の模様である。そして、軒樋継手１のカバー部材２０の外面２３には、軒樋３Ａ，３Ｂの外面３３，３３に形成された模様３３ａ，３３ａと同様の模様２３ａが形成されている。
【００３２】
図３（ａ）に示すように、軒樋３Ａ，３Ｂが接続されている継手本体１０にカバー部材２０を外嵌させる。継手本体１０には模様は形成されていないが、カバー部材２０の外面２３に模様２３ａが形成されているので、図２（ｂ）に示すように、軒樋３Ａ，３Ｂの模様３３ａが、カバー部材２０の模様２３ａにより、途切れずに長手方向に連続する帯状の模様Ｂが形成される。なお、模様Ｂは長手方向に延びる帯状のものに限定されることは無く、例えば縞模様であってもよい。また、模様Ｂを設けずに、特徴的な彩色を軒樋３Ａ，３Ｂに施し、カバー部材２０の外面２３に同色で着色してもよい。また、軒樋３Ａ，３Ｂの外面３３に長手方向に変化するグラデーションが施されているならば、その変化に合わせたグラデーションをカバー部材２０の外面２３に施されてもよい。
【００３３】
本発明の軒樋継手１は、軒樋３が耳部を有するものに適用されることに限定されることは無い。また、図中において、継手本体１０とカバー部材２０の長手方向の寸法が略同じように示されているが、これに限定されることはない。たとえば、カバー部材２０の長手方向の寸法が、継手本体１０より大きく形成されていれば、外部から継手本体１０がより視認しにくくなる。そして、カバー部材２０に爪部２４は前耳掛部２２ａのみに形成されているが、後耳掛部２２ｂにも設けてもよく、後耳のみに爪部を設けてもよく、爪部が設けられていないカバー部材であってもよい。また、カバー部材を継手本体１０に固定する方法はこれに限定されることはない。
【符号の説明】
【００３４】
１              軒樋継手
１０            継手本体
１１            挿入凹部
１１ａ          流路側内壁面
１１ｂ          外側内壁面
２０            カバー部材
３，３Ａ，３Ｂ  軒樋
３１            流路（内面）
３２            端部
３３            外面
【図１】
2020056199.tif 000003
【図２】
2020056199.tif 000004
【図３】
2020056199.tif 000005